(57)【特許請求の範囲】
【請求項１】
タッチデバイスのホームスクリーン運用方法において、
選択されたページによるホームスクリーンを表示する過程と、
第１インタラクションに応答して切替モード画面（ｔｒａｎｓｉｔｉｏｎ  ｍｏｄｅ  ｓｃｒｅｅｎ）を表示する過程と、
前記切替モード画面が表示された状態で第２インタラクションに応答してページ間に少なくとも１つのコンテンツアイテム（ｃｏｎｔｅｎｔ  ｉｔｅｍ）の移動を選択される過程と、
前記少なくとも１つのコンテンツアイテムをターゲットページ（ｔａｒｇｅｔ  ｐａｇｅ）に移動する過程と、を含み、
前記ホームスクリーンで少なくとも１つのコンテンツアイテムを選択した後、切替領域のデバイスインジケータ領域に移動、前記ホームスクリーンで少なくとも１つのコンテンツアイテムを選択した後、切替領域のページインジケータ領域に移動及び前記ホームスクリーンで少なくとも１つのコンテンツアイテムを選択した後、前記第１インタラクションが一定時間維持のうちいずれか１つを満たすとき、前記第１インタラクションをページ切替インタラクションとして決定し、
前記切替モード画面を表示する過程は、
前記ホームスクリーンの少なくとも一つのページに対応する少なくとも一つのアイテムまたはサムネイルを含み、前記少なくとも一つのコンテンツアイテムの異なるページへの移動のための切替領域を含む切替モード画面を表示する過程を含むことを特徴とするタッチデバイスのホームスクリーン運用方法。
【請求項２】
前記第１インタラクションを感知する過程は、
前記第１インタラクションが少なくとも１つのコンテンツアイテムのページ移動のための前記ページ切替インタラクションであるか、または、一般的な機能制御のための制御インタラクションであるかを判断する過程を含むことを特徴とする請求項１に記載のタッチデバイスのホームスクリーン運用方法。
【請求項３】
ホームスクリーンからすべてのページに対応する多数個のサムネイルのサムネイル画面を表示する過程を含むことを特徴とする請求項１に記載のタッチデバイスのホームスクリーン運用方法。
【請求項４】
前記少なくとも１つのコンテンツアイテムをターゲットページに移動する過程は、
前記多数個のサムネイルのうち１つに少なくとも１つのコンテンツアイテムを移動した後、リリースする過程を含むことを特徴とする請求項３に記載のタッチデバイスのホームスクリーン運用方法。
【請求項５】
前記少なくとも１つのコンテンツアイテムをターゲットページに移動する過程は、
少なくとも１つのコンテンツアイテムを特定サムネイルの上に移動することと関連した前記第２インタラクションがサムネイル画面でホールドされるとき、前記特定サムネイルに対応するページをホームスクリーンに表示する過程と、
前記第２インタラクションがリリースされる位置に表示されたページの一部に前記少なくとも１つのコンテンツアイテムを移動する過程と、を含むことを特徴とする請求項３に記載のタッチデバイスのホームスクリーン運用方法。
【請求項６】
前記切替モード画面を表示する過程は、
前記ページインジケータ領域で特定ページアイテムに少なくとも１つのコンテンツアイテムを移動するためのページ切替インタラクションに応答して前記特定ページアイテムに対応するページをホームスクリーンに表示する過程を含むことを特徴とする請求項１に記載のタッチデバイスのホームスクリーン運用方法。
【請求項７】
前記少なくとも１つのコンテンツアイテムをターゲットページに移動する過程は、
前記第２インタラクションがリリースされる位置に表示されたページの一部に前記少なくとも１つのコンテンツアイテムを移動する過程を含むことを特徴とする請求項６に記載のタッチデバイスのホームスクリーン運用方法。
【請求項８】
前記切替モード画面を表示する過程は、
ホームスクリーンの一方の領域にすべてのページに対応するサムネイルの個数よりなるページ領域を表示する過程を含むことを特徴とする請求項１に記載のタッチデバイスのホームスクリーン運用方法。
【請求項９】
前記少なくとも１つのコンテンツアイテムをターゲットページに移動する過程は、
前記ホームスクリーンで特定コンテンツアイテムが前記ページ領域の特定サムネイルの上に移動した後、前記第２インタラクションがリリースされるとき、前記特定サムネイルのページに前記コンテンツアイテムを移動する過程を含むことを特徴とする請求項８に記載のタッチデバイスのホームスクリーン運用方法。
【請求項１０】
前記少なくとも１つのコンテンツアイテムをターゲットページに移動する過程は、
前記ホームスクリーンで特定コンテンツアイテムが前記ページ領域の特定サムネイルの上に移動した後、前記第２インタラクションがホールドされるとき、前記特定サムネイルの当該ページにホームスクリーンを変更する過程と、
前記変更されたページで前記第２インタラクションがリリースされる位置に前記コンテンツアイテムを移動する過程と、を含むことを特徴とする請求項８に記載のタッチデバイスのホームスクリーン運用方法。
【請求項１１】
タッチデバイスにおいて、
少なくとも１つのページによって提供されるホームスクリーンを表示し、前記ホームスクリーンで少なくとも１つのコンテンツアイテムのページ間の移動のための少なくとも１つのインタラクションを入力されるタッチスクリーンと、
第１インタラクションに応答して切替モード画面を表示し、前記切替モード画面が表示された状態で第２インタラクションに応答して少なくとも１つのコンテンツアイテムのページ間の移動を選択され、前記第２インタラクションがリリースされる位置のターゲットページに少なくとも１つのコンテンツアイテムの移動を制御する制御部と、を含み、
前記ホームスクリーンで少なくとも１つのコンテンツアイテムを選択した後、切替領域のデバイスインジケータ領域に移動、前記ホームスクリーンで少なくとも１つのコンテンツアイテムを選択した後、切替領域のページインジケータ領域に移動及び前記ホームスクリーンで少なくとも１つのコンテンツアイテムを選択した後、前記第１インタラクションが一定時間維持のうちいずれか１つを満たすとき、前記第１インタラクションをページ切替インタラクションとして決定し、
前記切替モード画面は、前記ホームスクリーンの少なくとも一つのページに対応する少なくとも一つのアイテムまたはサムネイルを含み、前記少なくとも一つのコンテンツアイテムの異なるページへの移動のための切替領域を含むことを特徴とするタッチデバイス。
【請求項１２】
前記切替領域は、
前記ホームスクリーンの一方の領域に現われ、デバイスインジケータ領域、ページインジケータ領域及びページ領域のうち少なくとも１つの領域によって提供されることを特徴とする請求項１１に記載のタッチデバイス。
【請求項１３】
前記制御部は、
前記ホームスクリーンからすべてのページに対応する多数個のサムネイルが現れるサムネイル画面表示を制御することを特徴とする請求項１１に記載のタッチデバイス。
【発明の詳細な説明】
【技術分野】
【０００１】
本発明は、タッチ基盤入力インターフェース（ｔｏｕｃｈ−ｂａｓｅｄ  ｉｎｐｕｔ  ｉｎｔｅｒｆａｃｅ）を有するデバイスに関し、特にタッチデバイスでホームスクリーン（ｈｏｍｅ  ｓｃｒｅｅｎ）編集時にコンテンツのページ移動を直観的で且つ容易に行うことができるタッチデバイスでホームスクリーン編集方法及び装置に関する。
【背景技術】
【０００２】
最近、情報通信技術と半導体技術などの眩しい発展に伴い、各種携帯端末の普及と利用が急速に増加している。特に、最近の携帯端末は、自分の伝統的な固有領域にとどまらず、他の端末の領域まで含むモバイル融合／複合（ｍｏｂｉｌｅ  ｃｏｎｖｅｒｇｅｎｃｅ）段階に至る。例えば、移動通信端末の場合には、音声とデータ通信機能以外にも、テレビ（Ｔｅｌｅｖｉｓｉｏｎ）視聴機能（例えば、ＤＭＢ（Ｄｉｇｉｔａｌ  Ｍｕｌｔｉｍｅｄｉａ  Ｂｒｏａｄｃａｓｔｉｎｇ）やＤＶＢ（Ｄｉｇｉｔａｌ  Ｖｉｄｅｏ  Ｂｒｏａｄｃａｓｔｉｎｇ）のような移動放送）、音楽再生機能（例えば、ＭＰ３（ＭＰＥＧ  Ａｕｄｉｏ  Ｌａｙｅｒ−３））、写真撮影機能、インターネット接続機能、辞書検索機能など各種マルチメディア機能が付加されている。
【０００３】
一方、最近には、携帯端末の動作状態を表示することができる表示部とデータなどを入力することができる入力部の機能を同時に行うことができるタッチスクリーン（ｔｏｕｃｈ−ｓｃｒｅｅｎ）を備えるタッチデバイスが増加している傾向にある。このようなタッチデバイスでは、通常、フルタッチスクリーン（ｆｕｌｌ  ｔｏｕｃｈ−ｓｃｒｅｅｎ）タイプで提供され、タッチデバイスの場合、その特性上、数字（または文字）キーなどの構成が省略される。そして、タッチデバイスの場合、基本的にタッチ基盤の入力インターフェースを利用したタッチ入力によってタッチデバイスの使用及び制御が可能である。
【０００４】
また、タッチデバイスは、前述したような機能を具現するために、ハードウェアやソフトウェア的側面で新しい試みが多様に適用されている。一例として、ユーザが容易に且つ便利にタッチデバイスの機能を利用することができるユーザインターフェース（ＵＩ、Ｕｓｅｒ  Ｉｎｔｅｒｆａｃｅ）環境などがある。そして、ユーザのタッチデバイス利用による便宜向上及び新しい付加機能要求による新しい機能具現が多角度に行われている。
【発明の概要】
【発明が解決しようとする課題】
【０００５】
本発明の目的は、タッチデバイスでユーザ便宜のための付加機能を提供することにある。
【０００６】
本発明の他の目的は、タッチデバイスでタッチ基盤に入力されるユーザインタラクションによってホームスクリーンのコンテンツを直観的に且つ容易に構成可能なユーザインターフェース環境を具現することにある。
【０００７】
本発明のさらに他の目的は、ホームスクリーン編集時にユーザインタラクションによってホームスクリーンを構成するコンテンツのページ間移動を可能にするタッチデバイス及びその制御方法を提供することにある。
【０００８】
本発明のさらに他の目的は、タッチデバイスでコンテンツのページ移動に対する直観的なインターフェースを具現し、ホームスクリーン編集によるタッチデバイスの使用性及び便宜性を向上させることにある。
【課題を解決するための手段】
【０００９】
前記目的を達成するために、本発明の実施例による方法は、タッチデバイスのホームスクリーン運用方法において、特定ページによるホームスクリーンを表示する過程と、前記ホームスクリーン運用中に第１インタラクションを感知する過程と、前記第１インタラクションがページ切替インタラクションなら、切替モード実行による画面を表示する過程と、前記画面が表示された状態で特定コンテンツのページ移動のための第２インタラクションを感知する過程と、前記特定コンテンツを前記第２インタラクションに対応するページに移動して配置する過程とを含む。
【００１０】
前記目的を達成するために、本発明の実施例においては、前記方法をプロセッサで実行させるためのプログラムを記録したコンピュータで読み取り可能な記録媒体を含む。
【００１１】
前記目的を達成するために、本発明の実施例による装置は、タッチデバイスにおいて、少なくとも１つのページによって提供されるホームスクリーンを表示し、前記ホームスクリーンでコンテンツのページ移動のためのインタラクションを入力されるタッチスクリーンと、特定ページによる前記ホームスクリーン運用中に特定コンテンツのページ移動のためのページ切替インタラクションに対応して前記特定コンテンツのページ間の移動及びその配置を制御する制御部とを含む。
【００１２】
本発明の実施例よれば、前記ホームスクリーンは、ホームスクリーンの特定ページに構成されたコンテンツの他のページへの移動のための切替モードを行うことができる切替領域を含むことを特徴とする。また、本発明の実施例によれば、前記切替領域は、前記ホームスクリーンの一方の領域に現われ、デバイスインジケータ領域、ページインジケータ領域及びページ領域のうち少なくとも１つの領域によって提供されることを特徴とする。
【００１３】
前述したような内容は、当該分野における通常の知識を有する者が後述する本発明の具体的な説明からさらによく理解することができるようにするために、本発明の特徴及び技術的な長所を多少広く記述したものである。このような特徴及び長所以外にも、本発明の請求範囲の主題を形成する本発明の追加的な特徴及び長所が後述する本発明の具体的な説明からよく理解されるだろう。
【００１４】
前述したように、本発明で提案するタッチデバイスでホームスクリーン編集方法及び装置によれば、ホームスクリーンでコンテンツのページ移動のためのタッチ基盤のユーザインタラクションによってホームスクリーン編集によるコンテンツのページ移動を簡便で且つ直観的に支援することができるタッチデバイス及びその運用方法を提供する。このような本発明は、タッチ基盤の入力インターフェースを有するすべてのデバイスで具現されることができる。そして、ホームスクリーン上で簡単なタッチ基盤のユーザインタラクションでコンテンツのページ移動が可能であり、これにより、ホームスクリーン編集時にコンテンツのページ移動のための既存の複雑な段階を簡素化し、タッチ基盤のタッチデバイスでホームスクリーン編集及びそれによるコンテンツのページ間の移動のための最適の環境を具現することができる。
【００１５】
そして、本発明によれば、ユーザインタラクションの運用方式によってホームスクリーンの特定ページで多数のコンテンツを他のページに１回に移動が可能である。また、本発明によれば、特定ページのコンテンツを他のページに移動時に現在現われた特定ページを維持するか、またはコンテンツが移動する他のページへの切替をユーザインタラクションの運用方式によって適応的に支援することができる。これにより、ホームスクリーン構成及びコンテンツのページ間の移動に一層便宜性を提供することができる。このような本発明は、タッチデバイスでコンテンツのページ間の移動のための一層簡便で且つ直観的なインターフェースを具現することによって、タッチデバイスの使用性、便宜性及び競争力を向上させるのに寄与することができる。
【図面の簡単な説明】
【００１６】
【図１】図１は、本発明の実施例によるタッチデバイスの構成を概略的に示す図である。
【図２】図２は、本発明の実施例によるタッチデバイスで支援するホームスクリーン説明のために概略的に示す図である。
【図３】図３は、本発明の実施例によるコンテンツのページ間の移動を支援するためのインターフェース構成説明のために概略的に示す図である。
【図４】図４は、本発明の実施例によるタッチデバイスでタッチ基盤のユーザインタラクションによってコンテンツのページ間の移動を運用する動作例示を示す図である。
【図５】図５は、本発明の実施例によるタッチデバイスでタッチ基盤のユーザインタラクションによってコンテンツのページ間の移動を運用する動作例示を示す図である。
【図６】図６は、本発明の実施例によるタッチデバイスでタッチ基盤のユーザインタラクションによってコンテンツのページ間の移動を運用する動作例示を示す図である。
【図７】図７は、本発明の実施例によるタッチデバイスでコンテンツのページ移動方法を示す流れ図である。
【発明を実施するための形態】
【００１７】
以下、添付の図面を参照して本発明の好ましい実施例を詳しく説明する。この際、添付の図面において同一の構成要素は、できるだけ、同一の符号で示していることに留意しなければならない。また、本発明の要旨を不明にすることができる公知機能及び構成に関する詳細な説明は省略する。すなわち、下記の説明では、本発明の実施例による動作を理解するのに必要な部分だけが説明され、その他の説明は、本発明の要旨を不明にしないように省略されることを留意しなければならない。
【００１８】
提案する本発明は、タッチ基盤の入力インターフェース（ｔｏｕｃｈ−ｂａｓｅｄ  ｉｎｐｕｔ  ｉｎｔｅｒｆａｃｅ）を有するタッチデバイスにおいて一層感性的で且つ直観的なホームスクリーン（ｈｏｍｅ  ｓｃｒｅｅｎ）編集機能を支援することができる装置及びその制御方法に関する。本発明の実施例によれば、タッチデバイスで提供されるホームスクリーンでシングルタッチ基盤またはマルチタッチ基盤のユーザインタラクションによって少なくとも１つのコンテンツに対するページ間の移動を支援し、移動する少なくとも１つのコンテンツを定められたルールによって前記ホームスクリーンの特定ページに配置して提供することができる。
【００１９】
本発明の実施例においてユーザインタラクションは、コンテンツのページ間の移動のためにあらかじめ定義された方式によって行われることができ、ユーザインタラクションの入力方式については後述する。そして、本発明の実施例においてホームスクリーンは、多数個のページを含み、各ページは、タッチデバイスで支援するアプリケーションを実行することができるショートカットアイコン、ウィゼットのようなウィゼットアイコン、及びフォルダなどのような少なくとも１つのコンテンツを含んでホームスクリーンを構成する画面を示す。
【００２０】
以下では、本発明の実施例によるタッチデバイスの構成及びその動作制御方法について下記図面を参照して説明する。しかし、本発明の実施例によるタッチデバイスの構成及びその制御方法が下記に記述する内容に制限されるかまたは限定されるものではないので、下記の実施例に基づいて多様な実施例に適用することができることに留意しなければならない。
【００２１】
図１は、本発明の実施例によるタッチデバイスの構成を概略的に示す図である。
図１を参照すれば、前記タッチデバイスは、表示部１００、格納部２００、及び制御部３００を含んで構成される。その他、前記タッチデバイスは、通信機能を行うための無線周波数（ＲＦ、Ｒａｄｉｏ  Ｆｒｅｑｕｅｎｃｙ）部、マイク（Ｍｉｃｒｏｐｈｏｎｅ）とスピーカ（Ｓｐｅａｋｅｒ）を備えるオーディオ処理部、デジタル放送（例えば、ＤＭＢ（Ｄｉｇｉｔａｌ  Ｍｕｌｔｉｍｅｄｉａ  Ｂｒｏａｄｃａｓｔｉｎｇ）やＤＶＢ（Ｄｉｇｉｔａｌ  Ｖｉｄｅｏ  Ｂｒｏａｄｃａｓｔｉｎｇ）のような移動放送）の受信と再生を行うためのデジタル放送モジュール、写真／動画撮影機能のためのカメラモジュール、ブルートゥース（ＢＬＵＥＴＯＯＴＨ）通信機能を行うためのブルートゥース通信モジュール、インターネット通信機能を行うためのインターネット通信モジュール、タッチ基盤の入力のためのタッチパッド、及び物理的なキー入力を支援する入力部などの構成をさらに含むことができるが、それらに対する説明と図示は省略する。
【００２２】
前記表示部１００は、タッチデバイスのホームスクリーンを含めて、タッチデバイスで支援するアプリケーションの実行画面を提供する。例えば、メッセージ機能、電子メール機能、インターネット機能、マルチメディア機能、検索機能、通信機能、電子書籍リード機能（例えば、ｅ−ｂｏｏｋ）、動画機能、写真／動画撮影機能、写真／動画再生機能、テレビ再生機能（例えば、ＤＭＢやＤＶＢのような移動放送再生機能）、音楽再生機能（例えば、ＭＰ３再生機能）、ウィゼット機能、メモ機能、ゲーム機能などの実行画面を提供する。前記表示部１００は、液晶表示装置（ＬＣＤ、Ｌｉｑｕｉｄ  Ｃｒｙｓｔａｌ  Ｄｉｓｐｌａｙ）が使用されることが一般的であるが、発光ダイオード（ＬＥＤ、Ｌｉｇｈｔ  Ｅｍｉｔｔｉｎｇ  Ｄｉｏｄｅ）、有機発光ダイオード（ＯＬＥＤ、Ｏｒｇａｎｉｃ  ＬＥＤ）、能動型ＯＬＥＤ（ＡＭＯＬＥＤ、Ａｃｔｉｖｅ  Ｍａｔｒｉｘ  ＯＬＥＤ）などのような他の表示装置が使用されることもできる。前記表示部１００は、画面を表示するとき、タッチデバイスの回転方向（または配置された方向）によって横モードを提供するか、または縦モードを提供することができる。
【００２３】
本発明の実施例において前記表示部１００は、タッチ基盤の入力インターフェースを備えることができる。例えば、前記表示部１００は、タッチスクリーン構成によって後述するタッチ基盤のユーザインタラクション入力を支援し、前記ユーザインタラクションによる入力信号を生成し、制御部３００に伝達することができる。そして、本発明の実施例において前記表示部１００は、前述したようなホームスクリーンを表示し、ホームスクリーンでタッチ基盤に入力されるユーザインタラクションによって特定ページの少なくとも１つのコンテンツを他のページに移動して示すことができる。本発明において前記表示部１００は、コンテンツページ間の移動支援のためにホームスクリーン上に切替領域を一方の領域に示すことができる。本発明のユーザインタラクションによるコンテンツのページ間の移動及びその配置について後述する動作例示で説明される。
【００２４】
前記格納部２００は、前記タッチデバイスで実行され処理される各種プログラムとデータを格納し、１つ以上の揮発性メモリー素子と非揮発性メモリー素子とで構成されることができる。例えば、前記格納部２００は、前記タッチデバイスの運営体制、表示部１００の表示制御動作と関連したプログラムとデータ、表示部１００を利用した入力制御動作と関連したプログラムとデータ、コンテンツのページ間の移動機能運用と関連したプログラムとデータ、ユーザインタラクションによるホームスクリーンの編集モード（ｅｄｉｔ  ｍｏｄｅ）運用と関連したプログラムとデータなどを持続的にまたは一時的に格納することができる。
【００２５】
前記制御部３００は、前記タッチデバイスの全般的な動作を制御する。前記制御部３００は、本発明のホームスクリーン編集機能の運用による動作を制御することができる。特に、制御部３００は、ホームスクリーン編集時にコンテンツのページ間の移動機能の運用による動作を制御することができる。例えば、前記制御部３００は、多数個のページのうち要請される特定ページを通じたホームスクリーンを提供することができる。そして、制御部３００は、ユーザインタラクションによって前記多数個のページ間の切替を制御し、切り替えられた当該ページをホームスクリーンに示すことができる。特に、制御部３００は、ホームスクリーンでタッチ基盤のユーザインタラクションが発生すれば、当該インタラクションがコンテンツのページ移動のためのものであるか、または一般的な機能制御のためのものであるかを判断する。この際、制御部３００は、前記インタラクションがコンテンツのページ移動のために定められた切替領域を基盤に入力されるかどうかを分析し、コンテンツのページ移動のためのインタラクションであるか、または一般的な機能制御のためのインタラクションであるかを区分することができる。
【００２６】
そして、制御部３００は、コンテンツのページ移動のためのページ切替インタラクションであると認知すれば、当該インタラクションによる少なくとも１つのコンテンツを現在ホームスクリーンに現われたページから他のページに移動制御する。そして、制御部３００は、前記他のページに移動したコンテンツを定められたルールによって前記他のページ内に配置することができる。この際、制御部３００は、コンテンツ移動時にホームスクリーンに現在現われたページをそのまま維持し、コンテンツの移動のみを制御するか、または、コンテンツ移動時にホームスクリーンの現在ページを前記コンテンツが移動する他のページに切り替えて示すことができる。そして、制御部３００は、シングルタッチ基盤のインタラクションによって指定された１つのコンテンツに対するページ移動を制御するか、または、マルチタッチ基盤のインタラクションによって指定された多数個のコンテンツに対するページ移動を制御することができる。このような制御部３００の制御動作について後述するタッチデバイスの動作例示及びその制御方法で説明される。
【００２７】
その他、前記制御部３００は、前記タッチデバイスの通常的な機能と関連した各種制御動作を行う。例えば、前記制御部３００は、アプリケーション実行時にその運用及びデータ表示を制御することができる。また、制御部３００は、タッチ基盤の入力インターフェースで支援する多様な入力方式に対応する入力信号を受信し、それによる機能運用を制御することができる。また、制御部３００は、ホームスクリーン編集時に現在ページで与えられたコンテンツを同一ページ内で位置移動を制御するか、特定コンテンツの削除、代替、名前変更などのようなホームスクリーン編集機能を制御することができる。
【００２８】
一方、図１に示された本発明のタッチデバイスは、タッチ基盤の入力インターフェースを含むバータイプ、フォルダタイプ、スライドタイプ、スイングタイプ、フリップタイプなどすべてのタイプの携帯端末に適用されることができる。そして、本発明のタッチデバイスは、すべての情報通信機器、マルチメディア機器及びそれに対する応用機器を含むことができる。例えば、前記タッチデバイスは、多様な通信システムに対応する各種通信プロトコル（ｃｏｍｍｕｎｉｃａｔｉｏｎ  ｐｒｏｔｏｃｏｌｓ）に基づいて動作する移動通信端末機（ｍｏｂｉｌｅ  ｃｏｍｍｕｎｉｃａｔｉｏｎ  ｔｅｒｍｉｎａｌ）を含めて、タブレットパソコン（Ｐｅｒｓｏｎａｌ  Ｃｏｍｐｕｔｅｒ）、ＰＭＰ（Ｐｏｒｔａｂｌｅ  Ｍｕｌｔｉｍｅｄｉａ  Ｐｌａｙｅｒ）、デジタル放送プレーヤー、ＰＤＡ（Ｐｅｒｓｏｎａｌ  Ｄｉｇｉｔａｌ  Ａｓｓｉｓｔａｎｔ）、ミュージックプレーヤー（例えば、ＭＰ３プレーヤー）、携帯ゲーム端末、ネットブック（Ｎｅｔ−ｂｏｏｋ）及びスマートフォン（Ｓｍａｒｔ  Ｐｈｏｎｅ）などのデバイスを含むことができる。
【００２９】
また、本発明のタッチ基盤入力インターフェースを利用したユーザインタラクションによってコンテンツのページ間の移動を制御する方法は、テレビ（Ｔｅｌｅｖｉｓｉｏｎ）、ＬＦＤ（Ｌａｒｇｅ  Ｆｏｒｍａｔ  Ｄｉｓｐｌａｙ）、ＤＳ（Ｄｉｇｉｔａｌ  Ｓｉｇｎａｇｅ）、メディアフォール（ｍｅｄｉａ  ｐｏｌｅ）、及びノートパソコン（Ｎｏｔｅｂｏｏｋ）などのデバイスに適用されて運用されることもできる。
【００３０】
図２は、本発明の実施例によるタッチデバイスで支援するホームスクリーン説明のために概略的に示す図である。
図２に示されたように、本発明においてタッチデバイスで支援されるホームスクリーンは、多数個のページによって構成されることができる。例えば、図２に示されたように、ホームスクリーンは、５個のページ（例えば、ページ１  ２０１、ページ２  ２０３、ページ３  ２０５、ページ４  ２０７、ページ５  ２０９）を含み、ユーザ要請に対応する特定ページをホームスクリーンに示すことができる。例えば、図２では、参照番号２０５に示されたように、前記５個のページのうちページ３がホームスクリーンに示された場合である。
【００３１】
そして、図２に示されたように、ホームスクリーンのための各ページは、ユーザ設定によってそれぞれのコンテンツを含んで構成されることができる。前記各ページを構成するコンテンツは、前述したように、タッチデバイスで支援するアプリケーションを実行することができるショートカットアイコン、ウィゼットのようなウィゼットアイコン、及びフォルダなどを示す。
【００３２】
図２を参照すれば、タッチデバイスは、ホームスクリーン駆動時に前述したような多数個のページのうちユーザ設定によるいずれか１つのページを示すことができる。そして、ユーザは、ホームスクリーンに示されたページであらかじめ定義されたインタラクション（例えば、フリックインタラクションなど）でホームスクリーンに示すページ切替を制御することができる。例えば、参照番号２０５に示されたように、現在ホームスクリーンに示されたページ３が現われた状態を仮定する。前記参照番号２０５のような状態でユーザは、ホームスクリーンの任意の領域で右方向に移動するインタラクション（例えば、フリックインタラクションなど）を入力することができる。それでは、前記ホームスクリーンには、前記インタラクションに対応して参照番号２０５のページ３が右方向に移動して消え、参照番号２０３のページ２が現われることができる。このようなページ間の切替は、ユーザインタラクションに対応してホームスクリーンを構成するすべてのページ間に適用されることができる。例えば、現在ホームスクリーンに特定ページが現われた状態でページ切替のためのユーザインタラクションが入力されるとき、当該インタラクションの進行方向に対応して前記特定ページと隣接する次の、または以前のページが順次にシフト（ｓｈｉｆｔ）されて切り替えられることができる。
【００３３】
一方、タッチデバイスのホームスクリーンを編集（ｅｄｉｔ）するとき、コンテンツのページ移動を支援することができる。この際、コンテンツのページ移動のための従来方法では、ホームスクリーンの編集モードで特定ページのコンテンツを他のページに移動しようとするとき、当該コンテンツを選択して移動しようとするページがある方向の画面の下段に持って行ってホールド（ｈｏｌｄ）すれば、１ページずつページが切り替えられ、これにより、コンテンツのページ移動機能を支援している。そして、ユーザは、所望のページがホームスクリーンに現われるとき、当該ページ内の詳細的な位置にコンテンツをドロップ（ｄｒｏｐ）することによって、コンテンツのページ移動機能を支援している。したがって、ユーザが特定ページのコンテンツを数段階にわたった他のページに移動しようとするとき、コンテンツ移動に多くの時間がかかり、これによるユーザ不便をもたらす。例えば、現在ホームスクリーンにページ１が現われ、ページ１の特定コンテンツをページ５に移動しようとするとき、ユーザは、前述したような動作でホームスクリーンにページ５が現われるまで長時間入力及び待機しなければならないという問題点がある。
【００３４】
これより、本発明の実施例においては、特定ページのコンテンツを多数の段階にわたったページ切替による移動時に一層直観的で且つ容易にコンテンツのページ間の移動を支援することによって、ホームスクリーン編集の使用性及び便宜性を向上させることができる新しい方案を提案しようとする。以下では、このような本発明について具体的に説明する。
【００３５】
図３は、本発明の実施例によるコンテンツのページ間の移動を支援するためのインターフェース構成説明のために概略的に示す図である。
図３を参照すれば、本発明の表示部１００は、ホームスクリーンを大きく切替領域１３０とコンテンツ領域１５０とに区分することができる。
【００３６】
本発明の実施例において前記切替領域１３０は、ホームスクリーンの編集モード進入のためのインタラクション入力領域を示す。特に、前記切替領域１３０は、ホームスクリーンの編集モードのうちユーザインタラクションに対応して特定コンテンツが位置するとき、ページ切替モード実行のためのページ切替インタラクションを発生する。それでは、制御部３００は、前記切替領域１３０を通じてページ切替インタラクションを感知する。そして、制御部３００は、前記ページ切替インタラクションによってコンテンツのページ間の移動のためのページ切替モードを実行し、それによるコンテンツのページ移動を制御することができる。
【００３７】
本発明の実施例において前記切替領域１３０は、タッチデバイスの状態情報を提供するデバイスインジケータ領域１３３とページ間の切替移動及び識別の容易性のために提供するページインジケータ領域１３５を含んでなることができる。すなわち、本発明によれば、前記デバイスインジケータ領域１３３によってコンテンツのページ間の移動を支援するか、または、前記ページインジケータ領域１３５によってコンテンツのページ間の移動を支援するか、または、前記デバイスインジケータ領域１３３とページインジケータ領域１３５を１つの領域として運用することによって、コンテンツのページ間の移動を支援することができる。このような切替領域１３０を利用したコンテンツのページ間の移動動作について後述する例示で説明される。
【００３８】
一方、本発明の実施例において前記状態情報は、前記デバイスインジケータ領域１３３内に静的イメージ、動的イメージ、静的テキスト、動的テキストなどの情報アイテムとして提供され、デバイスインジケータ領域１３３は、少なくとも１つの情報アイテムを示すことができる。例えば、前記デバイスインジケータ領域１３３は、タッチデバイスと関連した状態情報を示す領域であって、通信と関連した信号強度を通知するアイテム、メッセージ受信を通知するアイテム、振動／音／無音情報を通知するアイテム、ブルートゥース活性化／不活性化設定状態を通知するアイテム、ワイファイ活性化／不活性化設定状態を通知するアイテム、バッテリー充電（または、残量）状態を通知するアイテム、時間情報を通知するアイテムなどの情報アイテムを示すことができる。このような情報アイテムは、１つの実施例に過ぎず、前述したアイテム以外に多様なアイテムが提供されることができる。そして、前記デバイスインジケータ領域１３３には、前述したような多数個の情報アイテムのうちタッチデバイスの使用環境によって１つまたは多数個のアイテムが配置されて現われることができる。
【００３９】
前記ページインジケータ領域１３５は、ホームスクリーンのために割り当てられたページに対応して構成されることができる。例えば、ホームスクリーンのためのページが図１を例示して説明したように、５個のページよりなる場合、前記ページインジケータ領域１３５は、前記５個のページにそれぞれ対応する５個のページアイテムよりなることができる。これにより、ユーザは、前記ページインジケータ領域１３５で特定アイテムを選択することによって、当該ページにすぐ移動し、ホームスクリーンに示すことができる。また、前記ページインジケータ領域１３５でアイテム上に移動するユーザのインタラクション（例えば、スウィップインタラクションなど）によってページ切替が順次に行われることができる。本発明の一実施例において、前記ページインジケータ領域１３５は、省略され、デバイスインジケータ領域１３３だけで切替領域１３０を構成して運用されることもできる。
【００４０】
本発明の実施例において前記コンテンツ領域１５０は、少なくとも１つのコンテンツが配置されて提供される領域を示す。前記コンテンツ領域１５０は、ホームスクリーンを通じて現在現われるページに対応するコンテンツが配置されて現われることができる。前記コンテンツは、前述したように、タッチデバイスで支援するアプリケーションを実行することができるショートカットアイコン、ウィゼットのようなウィゼットアイコン、及びフォルダなどを示す。
【００４１】
以下では、前述したような本発明のホームスクリーン編集時に前記切替領域１３０を利用してコンテンツのページ間の移動を運用する動作例示について図４〜図６を参照して説明する。
【００４２】
図４は、本発明の実施例によるタッチデバイスでタッチ基盤のユーザインタラクションによってコンテンツのページ間の移動を運用する動作例示を示す図である。
図４を参照すれば、参照番号４０１に示されたように、表示部１００上に特定ページ（例えば、ページ５）に対応するホームスクリーンが現われた状態を仮定する。参照番号４０１のような状態で、ユーザは、ホームスクリーン上に現われた任意のコンテンツ４１０を利用してホームスクリーン編集モード進入のために定義されたインタラクションを入力することができる。例えば、参照番号４０１に示されたように、ユーザは、任意のコンテンツ４１０を選択して指定し、設定された所定時間の間にホールドした後、リリースするインタラクションを入力することができる。
【００４３】
次に、制御部３００は、ホームスクリーンを通じて前記インタラクションを感知すれば、参照番号４０３に示されたように編集モードによる画面表示を制御することができる。例えば、本発明では、ユーザインタラクション発生時に参照番号４０３に示されたようにホームスクリーンの編集が可能な編集モードに進入することができる。この際、ホームスクリーンの編集モードが活性化されることを直観的に示すためにホームスクリーンに現われた各コンテンツ上に編集モードであることを通知するアイテム４２０（以下、‘エディタアイテム’という）を提供することができる。または、編集モードであることを通知するために前記エディタアイテム４２０以外にも、各コンテンツをかすかに半透明形態に変更して提供するか、その他、ユーザインターフェースの直観性を付与することができる多様な方式で提供されることができる。本発明の実施例において編集モード進入のための前記手続は、省略され、後述する動作によってホームスクリーン状態でコンテンツのページ移動をすぐ行うこともできる。
【００４４】
次に、参照番号４０３のような状態で、ユーザは、ホームスクリーン上に特定コンテンツのページ移動のためのタッチ基盤のユーザインタラクションを入力することができる。例えば、参照番号４０３及び参照番号４０５に示されたように、ユーザは、特定コンテンツ４３０を選択して指定した後、切替領域１３０に選択されたコンテンツ４３０を移動するインタラクションを入力することができる。この際、図４では、前記切替領域１３０のうちデバイスインジケータ領域１３３を利用する場合を仮定する。そして、図４では、ホームスクリーンを構成することができるページが１２個であり、各ページは、多数個のコンテンツを含む場合を仮定する。
【００４５】
したがって、ユーザは、前記選択されたコンテンツ４３０をデバイスインジケータ領域１３３に移動することができる。例えば、参照番号４０５に示されたように、ユーザは、選択されたコンテンツ４３０をデバイスインジケータ領域１３３上にオーバーラップ（ｏｖｅｒｌａｐ）して一定時間位置させることができる。それでは、制御部３００は、切替領域１３０を通じたユーザインタラクションを感知するとき、前記インタラクションがホームスクリーンの編集モードのうちコンテンツのページ移動、すなわち切替モード進入のためのページ切替インタラクションであるものに区分することができる。
【００４６】
次に、参照番号４０５に示されたように、インタラクションによって選択された前記コンテンツ４３０がデバイスインジケータ領域１３５の任意の領域にオーバーラップされて位置するとき、制御部３００は、参照番号４０７に示されたように、ホームスクリーンの構成可能な設定されたモードページをホームスクリーン内に示すことができる。例えば、制御部３００は、参照番号４０７に示されたように、ホームスクリーンのために構成されたすべてのページに対応するサムネイルを生成し、生成されたサムネイルをホームスクリーン内に示すことができる。本発明において各ページに対応するサムネイルは、表示部１２０の空間的サイズを考慮して特定サイズにリサイジングされて示すことができる。また、本発明において各ページに対応するサムネイルは、ホームスクリーンを構成するページの個数に対応して特定サイズにリサイジングされて示すことができる。すなわち、ホームスクリーンですべて１２個のページが提供されることができるし、各ページを示すそれぞれのサムネイルのサイズは、前記ホームスクリーンに適当に調節されることができる。図４では、ホームスクリーンを構成するページが１２個である場合を仮定することによって、ホームスクリーンには、前記１２個のページに対応する１２個のサムネイルが現われることができる。
【００４７】
一方、本発明の実施例によれば、切替モードによるサムネイルを示すとき、ユーザの直観性を考慮して切替モード進入前に活性化されたページ（例えば、ページ５）、すなわち移動しようとするコンテンツ４３０が属していたページ（ページ５）を他のページと区分して示すことができる。例えば、制御部３００は、参照番号４５０に示されたように、前記コンテンツ４３０が属する当該ページ（例えば、ページ５）をフォーカシングした後、ハイライトで示すことができる。そして、本発明によれば、各サムネイルは、参照番号４００の例示に示されたように、各ページのプレビュー（ｐｒｅｖｉｅｗ）を示し、コンテンツ移動のためのページの直観性を向上させることができるようにする。
【００４８】
次に、参照番号４０７のように、切替モードによって切り替えられた画面（例えば、サムネイル画面）がホームスクリーンに現われた状態で、ユーザは、参照番号４０９に示されたように、ホームスクリーンに現われたサムネイルのうち所望のページ（例えば、ページ１２）に対応するサムネイル４７０の位置に選択されたコンテンツ４３０を移動した後、ホールドするインタラクションを入力することができる。それでは、制御部３００は、参照番号４１１に示されたように、前記サムネイル４７０に対応するページ（例えば、ページ１２）をホームスクリーンに示すことができる。そして、インタラクションが維持されている位置（例えば、前記サムネイル４７０のオーバーラップされた位置）に前記コンテンツ４３０を位置させて示すことができる。
【００４９】
次に、参照番号４１１のような状態で、ユーザは、参照番号４１３に示されたように、ホームスクリーンに現われたページ（例えば、ページ１２）の任意の位置に前記選択されたコンテンツ４３０を移動した後、ドロップするインタラクションを入力することができる。すなわち、ユーザは、任意の位置に前記コンテンツ４３０を移動した後、前記インタラクションをリリースすることができる。それでは、制御部３００は、参照番号４１３に示されたように、前記インタラクションがリリースされる位置を基準にして前記コンテンツ４３０を適切な位置に移動配置して示すことができる。
【００５０】
一方、図４では、その図示及び説明は省略したが、前記参照番号４０９のような状態で、ユーザは、ホームスクリーンに現われたサムネイルのうち特定ページ（例えば、ページ１２）に対応するサムネイル４７０の位置に前記コンテンツ４３０を移動した後、ドロップするインタラクションを入力することもできる。すなわち、ユーザは、ページ１２に対応するサムネイル４７０の位置に選択されたコンテンツ４３０を移動した後、前記インタラクションをリリースすることができる。それでは、制御部３００は、参照番号４１３に示されたように、前記サムネイル４７０に対応するページ（例えば、ページ１２）をホームスクリーンに示し、前記コンテンツ４３０を当該ページの適切な位置に移動配置して示すことができる。すなわち、ユーザインタラクション方式に対応して前述した参照番号４１１の過程は省略されることができる。
【００５１】
また、図４では、その図示及び説明は省略したが、前記参照番号４０９のような状態で、ユーザは、ホームスクリーンに現われたサムネイルのうち特定ページ（例えば、ページ１２）に対応するサムネイル４７０の位置に前記コンテンツ４３０を移動した後、ドロップするインタラクションを入力することもできる。すなわち、ユーザは、ページ１２に対応するサムネイル４７０の位置に選択されたコンテンツ４３０を移動した後、前記インタラクションをリリースすることができる。それでは、制御部３００は、前記インタラクションがリリースされる位置のサムネイル４７０に対応するページに前記コンテンツ４３０を移動配置して示すことができる。この際、前記コンテンツ４３０の移動時に、参照番号４０９の表示状態は維持しながら、前記コンテンツ４３０だけが消えた状態で示すことができる。また、参照番号４０９のように表示された状態で、ユーザインタラクション（例えば、タップインタラクション）によって選択されるサムネイルに対応する当該ページをホームスクリーンに示すことができる。
【００５２】
また、図４では、その図示及び説明は省略したが、前記のような動作では、シングルタッチ基盤のインタラクションに対応して１つのコンテンツ４３０に対するページ移動を説明した。しかし、本発明の実施例によれば、前記のような動作時に、マルチタッチ基盤のインタラクションに対応して多数のコンテンツを選択し、前記のような動作を基盤として選択された多数のコンテンツを１回に他のページへの移動も可能であることは勿論である。
【００５３】
図５は、本発明の実施例によるタッチデバイスでタッチ基盤のユーザインタラクションによってコンテンツのページ間の移動を運用する他の動作例示を示す図である。
図５を参照すれば、参照番号５０１に示されたように、表示部１００上に特定ページ（例えば、ページ２）に対応するホームスクリーンが現われた状態を仮定する。この際、前述したように、ユーザは、参照番号５０１のような状態で、ホームスクリーン上に現われた任意のコンテンツ５１０を利用してホームスクリーン編集モード進入のために定義されたインタラクションを入力することができる。それでは、制御部３００は、ホームスクリーンを通じて前記インタラクションを感知すれば、参照番号５０３に示されたように、エディタアイテム４２０を利用して編集モードによる画面表示を制御することができる。本発明の実施例において編集モード進入のための前記手続は省略されることができる。
【００５４】
次に、参照番号５０３のような状態で、ユーザは、ホームスクリーン上に特定コンテンツのページ移動のためのタッチ基盤のユーザインタラクションを入力することができる。例えば、参照番号５０３及び参照番号５０５に示されたように、ユーザは、特定コンテンツ５３０を選択して指定した後、切替領域１３０に選択されたコンテンツ５３０を移動するインタラクションを入力することができる。この際、図５では、前記切替領域１３０のうちページインジケータ領域１３５を利用する場合を仮定する。そして、図５では、ホームスクリーンを構成することができるページが５個であり、それに対応してページインジケータ領域１３５には、５個のページアイテム（例えば、５個円形（ｆｉｖｅ  ｃｉｒｃｌｅｓ）の列（ｒｏｗ））が現われた場合を仮定する。図５では、ページの数を円形の列で示したが、本発明がこれに限定されるものではなく、多様に具現されることができる。
【００５５】
したがって、ユーザは、ページインジケータ領域１３５に現われたページアイテムのうち所望のページに対応するページアイテムに選択されたコンテンツを移動することができる。例えば、参照番号５０５に示されたように、ユーザは、選択されたコンテンツをページ５（例えば、５番目の円形（５ｔｈ  ｃｉｒｃｌｅ））に対応するページアイテム上にオーバーラップして位置させることができる。それでは、制御部３００は、切替領域１３０を通じたユーザインタラクションを感知するとき、前記インタラクションがホームスクリーンの編集モードのうちコンテンツのページ移動、すなわち切替モード進入のためのページ切替インタラクションであるものに区分することができる。
【００５６】
次に、参照番号５０５に示されたように、インタラクションによって選択された前記コンテンツ５３０がページインジケータ領域１３５の特定ページアイテム上にオーバーラップされて位置するとき、制御部３００は、参照番号５０７に示されたように、ホームスクリーンのページを前記コンテンツがオーバーラップされたページアイテムに対応するページ（例えば、ページ５）に切り替えて示すことができる。
【００５７】
次に、参照番号５０７のように、ページが切り替えられたページ（例えば、ページ５）がホームスクリーンに現われた状態で、ユーザは、参照番号５０９に示されたように、ホームスクリーンに現われたページ（例えば、ページ５）の任意の位置に選択されたコンテンツ（５３０）を移動した後、ドロップするインタラクションを入力することができる。すなわち、ユーザは、任意の位置に前記コンテンツ５３０を移動した後、前記インタラクションをリリースすることができる。それでは、制御部３００は、参照番号５１１に示されたように、前記インタラクションがリリースされる位置を基準にして前記コンテンツ５３０を適切な位置に移動配置して示すことができる。
【００５８】
一方、図５では、その図示及び説明は省略したが、もし参照番号５０５のような状態で、ユーザが入力されたインタラクションをページインジケータ領域１３５上で他のページアイテムの位置に移動することができる。それでは、制御部３００は、前記スウィップ入力によってコンテンツが位置する当該ページアイテムに対応するページに切り替えて示すことができる。例えば、ユーザは、ページ５に対応するページアイテム上に位置するコンテンツをページ４、ページ３、ページ２、ページ１に対応する各ページアイテムに移動することができる。それでは、制御部３００は、インタラクションによって移動するコンテンツ位置の当該ページアイテムに対応するページをホームスクリーンに示すことができる。この際、ページアイテムを利用したページ切替は、コンテンツの順次的な移動によってページアイテムによるページが順次に切り替えられることができ、または、コンテンツがページ５からページ１に中間ページを経由せずにすぐ移動するとき、当該ページアイテムにジャンプ（ｊｕｍｐ）して示すことができる。
【００５９】
また、図５では、その図示及び説明は省略したが、前記のような動作では、シングルタッチ基盤のインタラクションに対応して１つのコンテンツ５３０に対するページ移動を説明した。しかし、本発明の実施例によれば、前記のような動作時にマルチタッチ基盤のインタラクションに対応して多数のコンテンツを選択し、前記のような動作を基盤に選択された多数のコンテンツを１回に他のページへの移動も可能であることは勿論である。
【００６０】
図６は、本発明の実施例によるタッチデバイスでタッチ基盤のユーザインタラクションによってコンテンツのページ間の移動を運用する他の動作例示を示す図である。
図６を参照すれば、参照番号６０１に示されたように、表示部１００上に特定ページ（例えば、ページ３）に対応するホームスクリーンが現われた状態を仮定する。この際、前述したように、ユーザは、参照番号６０１のような状態で、ホームスクリーン上に現われた任意のコンテンツ６１０を利用してホームスクリーン編集モード進入のために定義されたインタラクションを入力することができる。それでは、制御部３００は、ホームスクリーンを通じて前記インタラクションを感知すれば、参照番号６０３に示されたように、エディタアイテム４２０を利用して編集モードによる画面表示を制御することができる。
【００６１】
例えば、参照番号６０３に示されたように、ホームスクリーンに示すページを一定のサイズにリサイジングし、現在ページに対応するリサイジングページ６５０をホームスクリーンに示すことができる。そして、切替モードによるページのリサイジング時に現在ページに対応するリサイジングページ６５０と隣接する以前及び次のページに対応するリサイジングページ６４０、６６０の一部を一緒に示すことができる。
【００６２】
そして、参照番号６０３に示されたように、ホームスクリーンにリサイジングページ６４０、６５０、６６０と一緒にホームスクリーンの一方の領域（例えば、画面下端）にページ領域６００を提供することができる。前記ページ領域６００は、各ページのプレビューを示す所定個数のサムネイルが現われることができる。図６では、前記ページ領域６００に４個のサムネイルが提供される場合を仮定する。そして前記ページ領域６００のサムネイルは、前記ホームスクリーンに現われたページ（例えば、参照番号６５０に対応するページ）を基準に整列されて現われることができる。例えば、ページ領域６００の最も左側に参照番号６５０に対応するページのサムネイルが位置し、前記サムネイルを基準にして参照番号６５０に対応する次のページのサムネイルが順次に位置して現われることができる。本発明の実施例において前記ページ領域６００は、前述したような切替領域１３０に対応することができる。したがって、本明細書において切替領域１３０、デバイスインジケータ領域１３３、ページインジケータ領域１３５、及びページ領域６００は、説明の便宜のために区分したものに該当する。
【００６３】
次に、参照番号６０３のような状態で、ユーザは、ホームスクリーン内で特定コンテンツの位置を移動するためのタッチ基盤のユーザインタラクションを入力することができる。例えば、参照番号６０３及び参照番号６０５に示されたように、ユーザは、特定コンテンツ６２０をホームスクリーン内の他の位置に移動するインタラクションを入力することができる。それでは、制御部３００は、前記インタラクションに対応して前記コンテンツ６２０をホームスクリーン内の他の位置に移動配置して示すことができる。
【００６４】
また、参照番号６０３のような状態で、ユーザは、ページ領域６００のサムネイルを他のページに対応するサムネイルに切り替えるためのユーザインタラクションを入力することができる。例えば、ユーザは、ページ領域６００に現われたサムネイルのスクロール制御のためのインタラクション（例えば、フリックインタラクション、スウィップインタラクションなど）を入力することができる。それでは、制御部３００は、前記インタラクションに対応してページ領域６００のサムネイルを左方向または、右方向にスクロール制御し、それによって変更されるサムネイルをページ領域６００に示すことができる。
【００６５】
また、参照番号６０３のような状態で、ユーザは、ホームスクリーンのページを他のページに切り替えるためのユーザインタラクションを入力することができる。例えば、参照番号６０３及び参照番号６１５に示されたように、ユーザは、ページ領域６００に現われた任意のサムネイル６７３を選択するユーザインタラクション（例えば、タップインタラクションなど）を入力することができる。それでは、制御部３００は、参照番号６１５に示されたように、ホームスクリーンのリサイジングページ６５０が前記選択されたサムネイル６７３に対応するリサイジングページ６７０に切り替えて示すことができる。例えば、ホームスクリーンの現在リサイジングページ６５０がページ３であり、前記選択されたサムネイル６７３に対応するページがページ５である場合を仮定することができる。このような場合、参照番号６１５に示されたように、ホームスクリーンのリサイジングページ６５０が前記ページ５に対応するリサイジングページ６７０に切替されて現われることができる。このようなページ切替によってコンテンツのページ移動の便宜性を提供することができる。
【００６６】
次に、参照番号６０５のような状態で、ユーザは、ホームスクリーン上に特定コンテンツのページ移動のためのタッチ基盤のユーザインタラクションを入力することができる。例えば、参照番号６０５及び参照番号６０７に示されたように、ユーザは、特定コンテンツ６３０を選択して指定した後、ページ領域６００の任意のサムネイル６７５に移動するインタラクションを入力することができる。一例として、ユーザは、ページ領域６００に現われたサムネイルのうち特定ページ（例えば、ページ４）に対応するサムネイル６７５の位置に前記選択されたコンテンツ６３０を移動した後、ドロップするインタラクションを入力することができる。すなわち、ユーザは、ページ４に対応するサムネイル６７５の位置に前記コンテンツ６３０を移動した後、前記インタラクションをリリースすることができる。それでは、制御部３００は、参照番号６０９に示されたように、前記インタラクションがリリースされる位置のサムネイル６７５に対応するページに前記コンテンツ６３０を移動配置して示すことができる。この際、参照番号６０９に示されたように、ホームスクリーンに示したページの切替なしに既存ページをそのまま示すことができる。但し、前記既存ページで前記コンテンツ６３０が消えた状態で現われることができる。
【００６７】
また、参照番号６０７のような状態で、ユーザは、ホームスクリーン上に特定コンテンツのページ移動のためのタッチ基盤のユーザインタラクションを入力することができる。例えば、参照番号６０７に示されたように、ユーザは、特定コンテンツ６３０を選択して指定した後、ページ領域６００の任意のサムネイル６７５に移動した後、ホールドするインタラクションを入力することができる。一例として、ユーザは、ページ領域６００に現われたサムネイルのうち特定ページ（例えば、ページ４）に対応するサムネイル６７５の位置に前記選択されたコンテンツ６３０を移動した後、ホールドするインタラクションを入力することができる。それでは、制御部３００は、参照番号６１１に示されたように、前記サムネイル６７５に対応するページ（例えば、ページ４）のリサイジングページ６６０をホームスクリーンに示すことができる。そして、インタラクションが維持されている位置（例えば、前記サムネイル６７５のオーバーラップされた位置）に前記コンテンツ６３０を位置させて示すことができる。
【００６８】
次に、参照番号６１１のような状態で、ユーザは、参照番号６１３に示されたように、ホームスクリーンに現われたリサイジングページ６６０の任意の位置に前記選択されたコンテンツ６３０を移動した後、ドロップするインタラクションを入力することができる。すなわち、ユーザは、任意の位置に前記コンテンツ６３０を移動した後、前記インタラクションをリリースすることができる。それでは、制御部３００は、参照番号６１３に示されたように、前記インタラクションがリリースされる位置を基準にして前記コンテンツ６３０を適切な位置に移動配置して示すことができる。
【００６９】
図７は、本発明の実施例によるタッチデバイスでコンテンツのページ移動方法を示す流れ図である。
図７を参照すれば、制御部３００は、ホームスクリーン表示を制御することができる（７０１段階）。例えば、制御部３００は、多数個のコンテンツよりなる特定ページによるホームスクリーンを示すことができる。
【００７０】
次に、制御部３００は、特定ページによるホームスクリーン運用中にインタラクション入力を感知することができる（７０３段階）。例えば、制御部３００は、ホームスクリーン表示中にユーザがホームスクリーン上にタッチ基盤のユーザインタラクションを入力すれば、表示部１００は、前記インタラクションに対する入力信号を生成し、制御部３００に伝達することができる。それでは、制御部３００は、前記ホームスクリーン運用中に表示部１００で伝達された前記入力信号を受信し、それによるユーザインタラクションを感知することができる。本明細書において前記ユーザインタラクションは、タッチデバイスでタッチ基盤の入力インターフェースを利用した入力方式によって多様に入力されることができる。例えば、前記ユーザインタラクションは、タップ（ｔａｐ）入力、ドラッグ（ｄｒａｇ）入力、ドラッグアンドドロップ（ｄｒａｇ＆ｄｒｏｐ）入力、スウィップ（ｓｗｅｅｐ）入力、フリック（ｆｌｉｃｋ）入力などを含むことができる。そして、前記ユーザインタラクションは、前述したようなインタラクションをシングルタッチ基盤または、マルチタッチ基盤のうちいずれか１つで入力されることができる。
【００７１】
次に、制御部３００は、インタラクション入力を感知すれば、前記インタラクションがコンテンツのページ移動のためのページ切替インタラクションであるか、または、一般的な機能制御のためのインタラクションであるかを判断する（７０５段階）。例えば、制御部３００は、前記インタラクションが少なくとも１つの特定コンテンツのページ移動のために定められたルールによって入力されるかどうかを分析し、当該インタラクションを区分することができる。一例として、制御部３００は、前記図４で説明したように、ユーザインタラクションがホームスクリーンで特定コンテンツを選択した後、切替領域１３０のうちデバイスインジケータ領域１３３に移動して位置する場合、コンテンツのページ移動のためのページ切替インタラクションであるものに区分することができる。他の例として、制御部３００は、前記図５で説明したように、ユーザインタラクションがホームスクリーンで特定コンテンツを選択した後、切替領域１３０のうちページインジケータ領域１３５に移動して位置する場合、コンテンツのページ移動のためのページ切替インタラクションであるものに区分することができる。さらに他の例として、制御部３００は、前記図６で説明したように、ユーザインタラクションがホームスクリーンで特定コンテンツを選択した後、入力されたインタラクションが一定時間維持（例えば、トチアンドホルド入力）されるとき、コンテンツのページ移動のためのページ切替インタラクションであるものに区分することができる。その他、コンテンツのページ移動のために定義された多様なユーザインタラクション入力が可能であることは勿論である。
【００７２】
次に、制御部３００は、前記インタラクションが一般的な機能制御のためのインタラクションであるものと判断すれば（７０５段階のＮＯ）、当該ユーザインタラクションによる当該動作実行を制御することができる（７０７段階）。例えば、制御部３００は、前記ユーザインタラクションが特定コンテンツにダブルタップのような方式の入力であるものに区分すれば、前記特定コンテンツに対応するアプリケーションの実行及びその画面表示を制御することができる。
【００７３】
次に、制御部３００は、前記インタラクションがコンテンツのページ移動のためのページ切替インタラクションであるものと判断すれば（７０５段階のＹＥＳ）、切替モードを実行し（７０９段階）、切替モード実行による画面表示を制御することができる（７１１段階）。例えば、制御部３００は、ページ切替インタラクションによって前記図４〜図６を参照した説明部分で説明したような切替モードによる画面表示を制御することができる。一例として、制御部３００は、前記図４で説明したように、各ページをサムネイルで構成し、ホームスクリーンにすべて示すことができる。他の例として、制御部３００は、前記図５で説明したように、ページインジケータ領域１３５で指示される当該ページに切り替えてホームスクリーンに示すことができる。他の例として、制御部３００は、前記図６で説明したように、ホームスクリーンに現われた特定ページを一定のサイズにリサイジングして小さく示しながらホームスクリーンの一方の領域（例えば、画面下端）に所定個数のページ（前記特定ページを含んで前記特定ページを基準に整列される）をサムネイルで構成して示すことができる。
【００７４】
次に、制御部３００は、切替モードによる画面が表示された状態で、前述したように、選択されたコンテンツを特定ページに移動するインタラクションを感知すれば（７１３段階）、インタラクション移動に対応する当該ページに前記特定コンテンツを移動して配置することができる（７１５段階）。例えば、制御部３００は、切替モードによる画面が表示された状態で前記図４〜図６を参照した説明部分で説明したように、ユーザが選択されたコンテンツを任意のページに移動するインタラクションに対応して当該コンテンツを当該ページに移動して配置することができる。
【００７５】
一例として、制御部３００は、前記図４で説明したように、すべてのページがサムネイルで現われたホームスクリーンでユーザがインタラクションによって選択したコンテンツを任意のページに移動してリリースするとき、前記インタラクションがリリースされた当該ページに前記コンテンツを移動することができる。または、制御部３００は、前記図４で説明したように、すべてのページがサムネイルで現われたホームスクリーンでユーザがインタラクションによって選択したコンテンツを任意のページに移動してホールドするとき、当該ページへの画面切替を制御し、切り替えられたページでユーザのインタラクションがリリースされる位置に前記コンテンツを移動して示すことができる。他の例として、制御部３００は、前記図５で説明したように、特定ページに切替されて現われたホームスクリーンでユーザのインタラクションがリリースされる位置に前記コンテンツを移動して示すことができる。さらに他の例として、制御部３００は、前記図６で説明したように、ページ領域６００を通じて所定のページがサムネイルで現われたホームスクリーンでユーザがインタラクションによって選択したコンテンツを任意のページに移動してリリースするとき、前記インタラクションがリリースされた当該ページに前記コンテンツを移動することができる。または、制御部３００は、前記図６で説明したように、ページ領域６００を通じて所定のページがサムネイルで現われたホームスクリーンでユーザがインタラクションによって選択したコンテンツを任意のページに移動してホールドするとき、当該ページへの画面切替を制御し、切り替えられたページでユーザのインタラクションがリリースされる位置に前記コンテンツを移動して示すことができる。
【００７６】
次に、制御部３００は、コンテンツのページ移動制御後、要請動作実行を制御することができる（７１７段階）。例えば、制御部３００は、前述したようなコンテンツのページ移動をユーザ要請によって続いて行うことができる。または、制御部３００は、切替モードを終了するか、特定コンテンツの当該ページ内での位置移動、特定コンテンツの名前変更、特定コンテンツの削除などのような要請動作による制御を行うことができる。
【００７７】
一方、前述したような本発明のユーザインタラクションによってコンテンツのページ間の移動を制御する方法は、多様なコンピュータ手段を通じて行われることができるプログラム命令形態で具現され、コンピュータで読み取り可能な記録媒体に記録されることができる。この際、前記コンピュータで読み取り可能な記録媒体は、プログラム命令、データファイル、データ構造などを単独でまたは組み合わせて含むことができる。一方、記録媒体に記録されるプログラム命令は、本発明のために特別に設計され構成されたものであってもよく、またはコンピュータソフトウェア当業者に公知されて使用可能なものであってもよい。
【００７８】
前記コンピュータで読み取り可能な記録媒体には、ハードディスク、フロッピー（登録商標）ディスク及び磁気テープのような磁気媒体（Ｍａｇｎｅｔｉｃ  Ｍｅｄｉａ）、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）のような光記録媒体（Ｏｐｔｉｃａｌ  Ｍｅｄｉａ）、フロプティカルディスク（Ｆｌｏｐｔｉｃａｌ  Ｄｉｓｋ）のような磁気−光媒体（Ｍａｇｎｅｔｏ−Ｏｐｔｉｃａｌ  Ｍｅｄｉａ）、及びＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリなどのようなプログラム命令を格納し実行するように特別に構成されたハードウェア装置が含まれる。また、プログラム命令には、コンパイラーによって作われるもののような機械語コードだけでなく、インタプリターなどを私用してコンピュータによって実行されることができる高級言語コードを含む。前述したハードウェア装置は、本発明の動作を行うために１つ以上のソフトウェアモジュールとして作動するように構成されることができ、その逆も同様である。
【００７９】
そして、本発明の属する技術分野の当業者は、前述した本発明がその技術的思想や必須特徴を変更することなく、他の具体的な形態で実施されることができることを理解することができる。したがって、以上で記述した実施例は、すべての面で例示的なものであり、限定的なものでないことを理解しなければならない。そして、本発明の範囲は、前記詳細な説明よりは、後述する特許請求範囲によって示され、特許請求範囲の意味及び範囲そしてその等価概念から導出されるすべての変更または変形された形態が本発明の範囲に含まれるものと解釈されなければならない。
【００８０】
なお、本明細書と図面を通じて本発明の好ましい実施例について説明し、たとえ特定用語が使用されたが、これは、ただ本発明の技術内容を容易に説明し、発明の理解を助けるための一般的な意味として使用されたものに過ぎず、本発明の範囲を限定しようとするものではない。ここに開示された実施例以外にも本発明の技術的思想に基づく他の変形例が実施可能であるということは、本発明の属する技術分野における通常の知識を有する者に自明である。
【符号の説明】
【００８１】
１００    表示部
２００    格納部
３００    制御部
【図１】
0006033226.tif 000002
【図２】
0006033226.tif 000003
【図３】
0006033226.tif 000004
【図４】
0006033226.tif 000005
【図５】
0006033226.tif 000006
【図６】
0006033226.tif 000007
【図７】
0006033226.tif 000008